(57)【要約】      （修正有）【課題】高温となる誘導加熱コイルの冷却対策を踏まえた具体的な構成を提案し、加熱機能を備えた電動調理器の製品化に資すること。【解決手段】底部中央に軸通筒を備える調理容器と、調理容器を載置する載置台１ｃと、載置台上に突出させた駆動軸５と、駆動軸を回転させる回転機構とを有する本体部１と、調理容器内で駆動軸の回転により回転するカッターとを備えた電動調理器であって、載置台の裏面側に配置され、調理容器を加熱する誘導加熱コイル２６をさらに備え、回転機構が、モーター２０と、駆動軸５の誘導加熱コイルよりも下方の位置に取り付けられたプーリー２４と、モーター２０の回転をプーリー２４へと伝える伝達部材２２、２３とで構成され、本体部のプーリー２４よりも下方に配置された冷却ファン３０の冷却風を、プーリー２４を介して誘導加熱コイル２６へと送風する。【選択図】図６
2015205135.tif 000002
【特許請求の範囲】
【請求項１】
底部中央に軸通筒を備える調理容器と、
前記調理容器を載置する載置台と、前記載置台上に突出させた駆動軸と、前記駆動軸を回転させる回転機構とを有する本体部と、
前記調理容器内で前記駆動軸の回転により回転するカッターとを備えた電動調理器であって、
前記載置台の裏面側に配置され、前記調理容器を加熱する誘導加熱コイルをさらに備え、
前記回転機構が、モーターと、前記駆動軸の前記誘導加熱コイルよりも下方の位置に取り付けられたプーリーと、前記モーターの回転を前記プーリーへと伝える伝達部材とで構成され、
前記本体部の前記プーリーよりも下方に配置された冷却ファンの冷却風を、前記プーリーを介して前記誘導加熱コイルへと送風する、電動調理器。
【請求項２】
前記誘導加熱コイルは環状に形成され、前記誘導加熱コイルの中心が前記駆動軸と略同軸になるように配置されている、請求項１に記載の電動調理器。
【請求項３】
前記プーリーの外径が前記誘導加熱コイルの内径よりも大きい、請求項２に記載の電動調理器。
【請求項４】
前記プーリーは、前記駆動軸に固着される中心軸部分と前記伝達部材が接触する外周部分との間に貫通孔が形成されている、請求項１から３のいずれかに記載の電動調理器。
【請求項５】
前記駆動軸を回動可能に支持すると共に前記モーターを支持するベースプレートをさらに備え、
前記誘導加熱コイルと前記モーターとが前記ベースプレートの上面側に位置すると共に、前記プーリーと前記冷却ファンが前記ベースプレートの下面側に位置し、前記ベースプレートの前記プーリーと前記誘導加熱コイルとの間に位置する部分に、前記冷却ファンからの冷却風を通過させる貫通孔が形成されている、請求項１から４のいずれかに記載の電動調理器。
【請求項６】
前記冷却ファンの冷却風の一部を前記ベースプレートの下面側に配置された回路基板へと導く仕切り板を有する、請求項５に記載の電動調理器。
【請求項７】
前記本体部の前記モーターが配置されている領域の下部に、前記冷却ファンからの冷却風を外部へ放出する排気口が形成されている、請求項１から６のいずれかに記載の電動調理器。
【発明の詳細な説明】
【技術分野】
【０００１】
本願は、モーターによって調理容器内に配置されたカッターを回転させて食材を切断・粉砕・撹拌等して調理する電動調理器に関し、誘導加熱コイルにより調理容器を加熱することで調理容器内部の被調理物の加熱調理を可能とする電動調理器に関する。
【背景技術】
【０００２】
主に家庭で使用される電動調理器として、モーターによって調理容器の中心に配置されたカッターを回転させて、調理容器内に投入された各種の調理材料を切断・粉砕したり撹拌したりするものが知られている。このような電動調理器として、果物や野菜などからジュースを作ることを主な目的とするジューサーと称されるものや、さまざまな調理のための下ごしらえなどジュース以外の調理にも広く使用されるフードプロセッサーと称されるものが知られている。
【０００３】
近年は、健康志向や内食志向などが追い風となって家庭内で各種の調理を行うことがブームとなっていて、特に、幅広い調理シーンで使用することができるフードプロセッサーの需要が拡大している。フードプロセッサーとしては、魚肉類、野菜類などを細かく切断したり、ジュースやスープを作ったりするための板状のブレード（調理刃）を備えたカッターの他に、おろし金を備えたカッターや、パン生地などを捏ねる羽根を備えたもの、さらに、スライスや千切り専用の回転刃を備えたカッターなど複数のカッターを装備して、調理の目的に応じてこれらのカッターを交換可能としたものが人気を博している。
【０００４】
また、フードプロセッサーにおいて、調理容器内の被調理物を加熱できるヒーターを備え、加熱機能と自動撹拌機能とを有することでスープやカスタードクリームなどの調理が可能な加熱機能を備えたものも提案されている。
【０００５】
このような加熱機能を備えた電動調理器として、容器の温度を検出すると共に、カッターを回転させる電動機とヒーターへの通電とを制御する制御部を備えたもの（特許文献１参照）が、また、加熱機能を備えた電動調理器において、吸気手段を調理容器の蓋部に設けて調理容器内を低酸素状態とすることを可能とし、被調理物の栄養成分の酸化を防止するとともに酵素反応を促進するもの（特許文献２参照）が、さらに、本体内に調理用の液体を収容するタンクを備え、制御手段が調理タイミングに合わせてタンク内に収容されていた水などの調理用液体を調理容器へと供給することで、所望の条件で蒸し炒め調理を行うことができるもの（特許文献３参照）などが提案されている。
【先行技術文献】
【特許文献】
【０００６】
【特許文献１】特許第２７７３３９２号公報
【特許文献２】特開２００８−２０６９０７号公報
【特許文献３】特開２００８−２８４１８７号公報
【発明の概要】
【発明が解決しようとする課題】
【０００７】
上記従来の加熱機能を備えた電動調理器は、調理容器内部に配置されるカッターや圧搾手段などを回転させる回転機構と調理容器を加熱する加熱手段とを備えることで、高栄養価のスープ作りなどの新しい調理対象を積極的に提案するものである。しかし、上記従来の電動調理器では、加熱手段として電熱式のヒーターを用いるものが多く、詳細な温度制御を行って調理する目的からは十分なものとは言えない。また、被調理物の温度制御が容易な誘導加熱式の加熱手段（ＩＨヒーター）を用いる場合には、１００度を大きく超える高温となる誘導加熱コイルの冷却対策が必要となるが、上記従来の加熱機能を備えた電動調理器においては、具体的な解決策としての冷却手段を示したものはなかった。
【０００８】
本開示はこのような従来技術の課題を解決するものであり、加熱機能を備えて一層幅広い調理内容を実現できる電動調理器において、高温となる誘導加熱コイルの冷却対策を踏まえた具体的な構成を提案し、加熱機能を備えた電動調理器の製品化に資するものである。
【課題を解決するための手段】
【０００９】
上記課題を解決するため、本願で開示する電動調理器は、底部中央に軸通筒を備える調理容器と、前記調理容器を載置する載置台と、前記載置台上に突出させた駆動軸と、前記駆動軸を回転させる回転機構とを有する本体部と、前記調理容器内で前記駆動軸の回転により回転するカッターとを備えた電動調理器であって、前記載置台の裏面側に配置され、前記調理容器を加熱する誘導加熱コイルをさらに備え、前記回転機構が、モーターと、前記駆動軸の前記誘導加熱コイルよりも下方の位置に取り付けられたプーリーと、前記モーターの回転を前記プーリーへと伝える伝達部材とで構成され、前記本体部の前記プーリーよりも下方に配置された冷却ファンの冷却風を、前記プーリーを介して前記誘導加熱コイルへと送風する。
【発明の効果】
【００１０】
本願で開示する電動調理器は、モーターの回転を駆動軸に伝達するプーリーが誘導加熱コイルの下方に配置され、さらにプーリーよりも下方に配置された冷却ファンの冷却風を、プーリーを介して誘導加熱コイルへと送風する。このため、誘導加熱コイルを調理容器の底面に近い位置に配置できると共に、冷却ファンの冷却風を用いて誘導加熱コイルを冷却することができ、加熱効率に優れ安全性の高い電動調理器をコンパクトに実現することができる。
【図面の簡単な説明】
【００１１】
【図１】実施の形態にかかるフードプロセッサーの外観を示す側面図である。
【図２】実施の形態にかかるフードプロセッサーを構成する各部材の外観を示す分解斜視図である。
【図３】実施の形態にかかるフードプロセッサーの内部の構成を示す断面図である。
【図４】実施の形態にかかるフードプロセッサーの誘導加熱コイルと、回転機構と、冷却ファンとの配置位置の一例を説明する斜視図である。
【図５】実施の形態にかかるフードプロセッサーに用いられるプーリーの構成を示す斜視図である。
【図６】実施の形態にかかるフードプロセッサーの本体部内部の空気の流れを説明する断面構成図である。
【発明を実施するための形態】
【００１２】
本願で開示する電動調理器は、底部中央に軸通筒を備える調理容器と、前記調理容器を載置する載置台と、前記載置台上に突出させた駆動軸と、前記駆動軸を回転させる回転機構とを有する本体部と、前記調理容器内で前記駆動軸の回転により回転するカッターとを備えた電動調理器であって、前記載置台の裏面側に配置され、前記調理容器を加熱する誘導加熱コイルをさらに備え、前記回転機構が、モーターと、前記駆動軸の前記誘導加熱コイルよりも下方の位置に取り付けられたプーリーと、前記モーターの回転を前記プーリーへと伝える伝達部材とで構成され、前記本体部の前記プーリーよりも下方に配置された冷却ファンの冷却風を、前記プーリーを介して前記誘導加熱コイルへと送風する。
【００１３】
本開示にかかる電動調理器は上記の構成を備えることで、調理容器内でカッターを回転させる駆動軸に固着されたプーリーを誘導加熱コイルの下方に配置して、誘導加熱コイルを調理容器に近い位置に配置することができ、調理容器の高い加熱効率を実現することができる。また、プーリーの下方に配置された冷却ファンからの冷却風をプーリーを介して誘導加熱コイルに送風することで、本体部の構成を大きくすることなく誘導加熱コイルの過度の温度上昇を防止することができる。このため、加熱効率に優れ安全性の高い電動調理器をコンパクトに実現することができる。
【００１４】
本開示にかかる電動調理器において、前記誘導加熱コイルは環状に形成され、前記誘導加熱コイルの中心が前記駆動軸と略同軸になるように配置されていることが好ましい。このようにすることで、調理容器の底面と誘導加熱コイルとを略同軸に配置することができ、調理容器の加熱効率をさらに向上させることができる。
【００１５】
この場合において、前記プーリーの外径が前記誘導加熱コイルの内径よりも大きいことが好ましい。このようにすることで、冷却ファンの冷却風を効果的に用いて誘導加熱コイルを冷却することができる。
【００１６】
さらに、前記プーリーは、前記駆動軸に固着される中心軸部分と前記伝達部材が接触する外周部分との間に貫通孔が形成されていることが好ましい。このようにすることで、プーリーを介して、冷却コイルからの冷却風をより確実に誘導加熱コイルに送風することができる。
【００１７】
本開示の電動調理器において、前記駆動軸を回動可能に支持すると共に前記モーターを支持するベースプレートをさらに備え、前記誘導加熱コイルと前記モーターとが前記ベースプレートの上面側に位置すると共に、前記プーリーと前記冷却ファンが前記ベースプレートの下面側に位置し、前記ベースプレートの前記プーリーと前記誘導加熱コイルとの間に位置する部分に、前記冷却ファンからの冷却風を通過させる貫通孔が形成されていることが好ましい。このようにすることで、誘導加熱コイルの冷却効果を損なうことなく、ベースプレートを用いてモーターと駆動軸とを正しい位置関係で支持することができ、信頼性の高い電動調理器を実現することができる。
【００１８】
また、前記冷却ファンの冷却風の一部を前記ベースプレートの下面側に配置された回路基板へと導く仕切り板を有することが好ましい。このようにすることで、本体部内部に配置されている発熱源である誘導加熱コイルと回路基板に搭載された電気回路部品とを、一つの冷却ファンを用いて効果的に冷却することができる。
【００１９】
さらに、前記本体部の前記モーターが配置されている領域の下部に、前記冷却ファンからの冷却風を外部へ放出する排気口が形成されていることが好ましい。このようにすることで、本体部内部の冷却風の流れを制御することができて、本体部内部の温度上昇を効果的に抑えることができる。
【００２０】
以下、本願で開示する電動調理器について、図面を参照して説明する。
【００２１】
（実施の形態）
以下では、本願で開示する電動調理器の実施の形態として、加熱手段としての誘導加熱コイルを備えたフードプロセッサーであって、調理容器内部に配置された伝達軸に、調理目的に応じて各種カッターを交換可能に固定でき、制御部によって誘導加熱コイルから調理容器に加えられる熱量をプログラム可能なものを例示して説明する。
【００２２】
本実施形態にかかるフードプロセッサーは、野菜や魚肉類のみじん切り等の他に、ジュースやスープなどの液体、パン粉などの粉体を用いた調理に加え、加熱と撹拌とを行ってスープやシチュー、カレーのルーなどを調理可能なものである。
【００２３】
図１は、本実施形態にかかるフードプロセッサーの全体構成を示す斜視図である。また、図２は、本実施形態にかかるフードプロセッサーの各部の構成を示す分解斜視図である。
【００２４】
図１に示すように、本実施形態のフードプロセッサーは、本体部１と本体部１の載置台１ｃ上に載置された調理容器２と、調理容器２の上部開口を覆って閉塞可能な蓋体３とを備えている。
【００２５】
本体部１は、その上面が載置台１ｃを形成する本体下部１ａと、本体下部１ａの載置台１ｃ部分以外の部分の上方に配置された側面側上部１ｂとで構成されている。また、本体部１には、調理容器２内に配置される調理刃（ブレード）４ａ付きのカッター４を回転させる、図１、図２では図示しない回転機構が内部に収容されている。
【００２６】
本体下部１ａの上面として形成された載置台１ｃは略円形に構成され、載置台１ｃの中央部からは、調理容器２の内部に挿通されてカッター４を回転させる駆動軸５が突出している。なお、載置台１ｃは、その中央部分１ｃ１がより高く、周辺部分１ｃ２がより低く形成されている。また、本実施形態にかかるフードプロセッサーでは、図１、図２では図示しない誘導加熱コイルで調理容器２を加熱する際に、調理容器２の温度を制御して各種の調理プログラムを実行可能とするため、載置台１ｃの駆動軸５配置部分の側方に調理容器２が載置された際にその底部と接触して調理容器２の温度を検出する温度センサ６が配置されている。
【００２７】
本体部１の側面側上部１ｂは、載置台１ｃ上に載置された調理容器２の一部を側方から包み込むように載置台１ｃ側の側面が湾曲凹面に形成されている。このようにすることで、調理容器２を本体部１に対して正しい位置に載置し易くすると共に、調理容器２が載置された状態での機器外観のデザイン性を向上させている。側面側上部１ｂの、調理容器２に対向する面とは反対側の上方部分には、側面側上部１ｂ内への冷却風の取り入れ口である上部吸気口７が形成されている。
【００２８】
本体下部１ａの、側面側上部１ｂが配置された側とは反対側の側面（図１、図２における左側の側面）には、フードプロセッサーを動作させるための操作部８が配置されている。操作部８には、電源スイッチや各種の操作ボタン、操作ダイヤル、また、設定されたプログラムの内容やフードプロセッサーの動作状態を表示するためのランプや表示デバイスとしての液晶パネルなどが適宜配置される。なお、操作部８の配置位置は例示であって、本体下部１ａの側面側上部１ｂが配置された側とは反対側の側面以外の側面、すなわち、図１、図２における手前側、奥側、または、右側に位置する本体下部１ａの側面、さらには、側面側上部１ｂに配置することも可能である。
【００２９】
本体下部１ａの底面には、フードプロセッサーが載置されるテーブルや流し台などの表面から本体部１の底面を離間させることができる複数個の脚部９が配置されている。このようにすることで、載置される面に微細な凹凸や段差がある場合でもフードプロセッサーを安定して載置することができると共に、後述するフードプロセッサーの本体部１の底面に形成された冷却風を取り込む底面吸気口や排気口が不所望に塞がれることを防止することができる。
【００３０】
本実施形態のフードプロセッサーの調理容器２は、内部に被調理物を入れて調理を行うワークボウル２ａと、ワークボウル２ａの外側を覆うカバー部材２ｂとで構成されている。
【００３１】
ワークボウル２ａは、誘導加熱コイルからの誘導磁界によって渦電流を生じさせることができるように、ステンレスなどの金属材料で構成された略有底円筒状の部材である。ワークボウル２ａの底面中央には、駆動軸５を内蔵する軸カバー１１の外表面を覆う軸通筒１２が配置されていて、軸通筒１２にカッター４を被せることで、駆動軸５の回転によりカッター４が回転するようになっている。
【００３２】
ワークボウル２ａの上端部分には、外方へ延出した鍔部１３が形成されている。また、ワークボウル２ａの外側面には、外方へ突出するリブ１４が断続的に複数個配置されている。
【００３３】
カバー部材２ｂは、ワークボウル２ａの側面を覆う円筒状の部材であり、カバー部材２ｂの上端縁にワークボウル２ａの鍔部１３が重なって、ワークボウル２ａを保持する。カバー部材２ｂの内側表面には、ワークボウル２ａのリブ１４と係合する突起部１５（図３参照）が形成されていて、ワークボウル２ａとカバー部材２ｂとが着脱可能となっている。カバー部材２ｂの側面には把手１６が固着されていて、ユーザは把手１６を用いて、ワークボウル２ａとカバー部材２ｂとが一体化された調理容器２を持ち運びすることができる。
【００３４】
また、ワークボウル２ａが固着された状態で、ワークボウル２ａの側面外側とカバー部材２ｂの側面内側との間には所定の間隔が形成されるようになっている。このため、誘導加熱コイルによってワークボウル２ａの温度が高くなっている場合でも、ユーザは、把手１６を用いて調理容器２を安全に持ち運びすることができ、また、本体部１に載置した状態で不用意に調理容器２の部分に触れた場合でも、やけどなどをする危険からユーザを保護することができる。
【００３５】
本実施形態のフードプロセッサーでは、ワークボウル２ａが固着された状態で、カバー部材２ｂの底部がワークボウル２ａの底面よりも下方側に延出するようになっていて、調理容器２を本体部１の載置台１ｃ上に載置した際、カバー部材２ｂの延出部分が載置台１ｃの周辺部分１ｃ２に位置するようになっている。このようにすることで、調理容器２を載置台１ｃ上に載置した際に、載置台１ｃの中心位置と調理容器２の中心位置とを容易に一致させることができ、ワークボウル２ａの底面中央の軸通筒１２に正しく軸カバー１１が嵌り込むようにすることができる。また、本実施形態のフードプロセッサーでは、載置台１ｃの中央部分１ｃ１が高くなっていることで、載置台１ｃ上に配置されたワークボウル２ａの底面と載置台１ｃの裏側面に配置された誘導加熱コイルとの距離を小さくして、ワークボウル２ａの加熱効率を高く維持することができる。
【００３６】
なお、本実施形態のフードプロセッサーの調理容器では、カバー部材２ｂと把手１６とが樹脂で一体成型された構成を例示しているが、把手１６の少なくともその一部分をカバー部材２ｂとは別の部材で構成することもできる。
【００３７】
蓋体３は、一例として透明なガラス材料または樹脂材料により形成されていて、調理容器２のワークボウル２ａ上側の開口部分を閉塞することが可能な略円板状の部材である。蓋体３の上面中央には、ユーザが蓋体を保持できるようにつまみ部１７が形成されている。また、本実施形態のフードプロセッサーでは、蓋体３によって調理容器３の開口部分が密閉閉塞されてしまうと内部空間の圧力が上昇する可能性があるため、蓋体３の上部には通気孔１８が配置されていて、蓋体３を装着した状態でも調理容器２の内部空間が密閉されないようになっている。
【００３８】
蓋体３の周辺部分には、蓋体３がワークボウル２ａの上面を覆った際に、ワークボウル２ａの鍔部１３とカバー部材２ｂの上端とに当接可能な厚肉の枠部１９が配置されている。枠部１９には、カバー部材２ｂの把手１６の上端部分と係合する第１の突起部１９ａと、本体部１の側面側上部１ｃの上端部に形成された溝部１ｄに係合する第２の突起部１９ｂとが形成されていて、本体部１、調理容器２、蓋体３とを一体化することができるようになっている。
【００３９】
図３は、本実施形態のフードプロセッサーの内部の構成を説明するための側断面図である。図３は、フードプロセッサーを調理容器２の把手１６の中心線と本体部１の側面側上部１ｂの中心部とを結ぶ直線で分断した時の断面構成を示している。
【００４０】
図３に示すように、本体部１の本体下部１ａの上面として載置台１ｃの中心部分を貫通して駆動軸５が配置されている。また、本体部１の側面側上部１ｂの内部にはモーター２０が配置されている。モーター２０のシャフト２１に接続された回転板２２の回転が、連動ベルト２３によって駆動軸５の下端部に固定されたプーリー２４に伝えられることで、駆動軸５が所定の回転数で回動する。このように、本実施形態のフードプロセッサーでは、モーター２０、シャフト２１、回転板２２、連動ベルト２３、プーリー２４が、駆動軸５を回転させる回転機構を構成する。また、本実施形態のフードプロセッサーでは、モーター２０のシャフト２１に固着された回転板２２と連動ベルト２３とが、モーター２０の回転をプーリー２４へと伝える伝達部材を形成する。
【００４１】
なお、モーター２０のシャフト２１は、モーター２０の上方側にも伸びていて、発熱するモーター２０の温度を下げるためにモーター２０の上方に配置されるモーターファン２５の回転軸と兼用されている。モーター２０は、シャフト２１を回転させることで駆動軸５を回転させると同時に、自身を冷却するためのモーターファン２５を回転させる。
【００４２】
載置台１ｃ上に突き出た駆動軸５は軸カバー１１で覆われている。調理容器２が載置台１ｃ上の所定の位置に載置されると、軸カバー１１が調理容器２のワークボウル２ａ底部中央に形成された軸通筒１２の内部を貫通し、駆動軸５が回転すると調理容器２の軸通筒１２内部で軸カバー１１が同様に回転する。
【００４３】
軸カバー１１の上端部に、カッター４の中心軸であるカッター軸部４ｂを被せるように差し込むことで、軸カバー１１の外表面とカッター軸部４ｂの内表面とが摺接されるとともに、軸カバー１１とカッター軸部４ｂとに形成された凹凸部が嵌合するようになっていて、カッター４を駆動軸５の回転によって回転可能に取り付けることができる。
【００４４】
このとき、調理容器２のワークボウル２ａ底部に形成された軸通筒１２は、カッター軸部４ｂに形成された空洞部分の内側に差し込まれる状態となるため、軸通筒１２はカッター４の回転の妨げとはならないようになっている。なお、カッター４には、そのカッター４を用いて行う調理目的に応じた形状のブレード４ａが固着されている。本実施形態のフードプロセッサーでは、調理目的に応じて、図２、図３において図示した調理刃である切断用のブレード４ａに限らず、円板に複数個の開口部と微小突起が形成されたおろし金や、板状または棒状の突起物などによる撹拌部材、パン生地などを捏ねる羽根状部材など、各種形状の部材がブレード４ａに替わって固着されたカッター４を交換可能に装着できる。
【００４５】
その上方に調理容器２のワークボウル２ａの底面が配置される載置台１ｃの裏面、すなわち、載置台１ｃの本体部１の内部側の面には、平面視したとき環状である誘導加熱コイル２６が配置されている。誘導加熱コイル２６は、その環状中心が駆動軸５に略一致するように配置されている。ここで、誘導加熱コイル２６の中心が駆動軸５と略一致するとは、例えば、駆動軸５に直接取り付けられて駆動軸５と一緒に回転するプーリー２４の中心と駆動軸５とが物理的に完全に一致しているほどの厳密性は満たしていないものの、配置誤差程度の所定範囲内で誘導加熱コイル２６の中心と駆動軸５とが一致していることを言う。
【００４６】
このように、誘導加熱コイル２６の中心を駆動軸５と略一致させることで、誘導加熱コイル２６をワークボウル２ａの底面とほぼ同軸の状態で配置することができ、ワークボウル２ａを効果的に暖めることができる。なお、誘導加熱コイル２６の中心を駆動軸５と略一致させることで、誘導加熱コイル２６は、駆動軸５の下端部に固着されたプーリー２４とも略同軸状に配置されることになる。
【００４７】
本実施形態にかかるフードプロセッサーでは、本体下部１ａの内部に、駆動軸５を回動可能に支持すると共に、シャフト２１が回動可能な状態でモーター２０を支持するベースプレート２７が配置されている。ベースプレート２７は、剛性の高いメッキ鋼板などの金属製部材で形成されていて、回転機構を構成するモーター２０のシャフト２１や駆動軸５が傾いたり、シャフト２１と駆動軸５との間の距離が変動したりすることを防止して、連動ベルト２３を介して、シャフト２１に接続された回転板２２の回転を確実に駆動軸５に固定されたプーリー２４へと伝えることができる。ベースプレート２７は、その主面方向が水平方向となるように、本体下部１ａの内部に略水平に配置されている。
【００４８】
また、本実施形態のフードプロセッサーでは、シャフト２１の回転を駆動軸５に伝達する回転板２２、連動ベルト２３、プーリー２４をベースプレート２７の下面側に配置し、ベースプレート２７の上面側にモーター２０を配置している。なお、誘導加熱コイル２６は、載置台１ｃの裏面に配置されているため、ベースプレート２７の上面側に位置していて、モーター２０と誘導加熱コイル２６とは、いずれもベースプレート２７の上面側で水平方向、すなわち、ベースプレート２７の配置方向に平行となる位置に並ぶように配置されていることとなる。
【００４９】
本体下部１ａのプーリー２４の配置位置よりもさらに下側には、モーター２０や誘導加熱コイル２６などのフードプロセッサーの各部分へ必要な電源を供給する電源回路部品や、フードプロセッサーの各部分の状態を検出したり動作を制御したりする制御回路部品などの各種電気回路部品２８が搭載された回路基板２９が配置されている。
【００５０】
回路基板２９のさらに下方の本体下部１ａの底面近傍には、回路基板２９と操作部８との間の部分に、冷却ファンである本体ファン３０が配置されている。また、本実施形態にかかるフードプロセッサーでは、本体ファン３０の配置位置に対応して本体下部１ａの底面に、底面吸気口３１が形成されている。
【００５１】
本体ファン３０は、底面吸気口３１から外部の空気を吸い込んで、動作時に高温となる誘導加熱コイル２６と発熱源となる回路基板２９上に配置された電気回路部品２８とに冷却風を送風する。なお、本実施形態のフードプロセッサーでは、本体ファン３０の約半分が回路基板２９と重なるように配置すると共に、回路基板２９の端部であって本体ファン３０の回転軸の上方に相当する位置に仕切り板３２を形成し、本体ファン３０からの冷却風が、誘導加熱コイル２６と回路基板２９上の電気回路部品２８との双方に確実に供給されるようになっている。
【００５２】
本体下部１ａの底面における底面吸気口３１とは反対側の位置、すなわち、モーター２０が配置されている位置の下方に相当する部分には、第１の排気口３３が形成されている。第１の排気口３３は、本体部１の上部に配置された上部吸気口７と本体部１の底面に配置された底面吸気口３１とから本体部１内に吸入された冷却風の出口となる。
【００５３】
また、本実施形態のフードプロセッサーでは、回路基板２９と対向する位置の本体部１の底面に、第２の排気口３４が形成されている。第１の排気口３３と第２の排気口３４との間には、回路基板２９の配置部分とモーター２０配置部分の下方部分との空間を分離する隔壁３５が配置されている。
【００５４】
本実施形態のフードプロセッサーでは、回転機構を支持するベースプレート２７が、モーター２０のシャフト２１と駆動軸５との位置関係を規定してシャフト２１の回転を駆動軸５へと確実に伝達させるための部材として機能すると同時に、ベースプレート２７が、本体部１内の冷却風の通風経路の形成にも寄与して、本体部１内の発熱部品を効率的に冷却することができる。
【００５５】
図４は、本実施形態のフードプロセッサーにおける、回転機構と誘導加熱コイル、さらに誘導加熱コイルを冷却する冷却ファンの配置位置関係を示す斜視図である。なお、図４では、ベースプレートを斜め下側から見た状態の斜視図として、説明に必要な構成部品のみを選択して図示したものであり、本体部の外殻部材を含めたその他の構成部品は省略した状態を示している。
【００５６】
図４に示すように、本実施形態のフードプロセッサーでは、ベースプレート２７における、図４中では右奥側に示された一端部２７ａ側の部分に、モーター２０が配置、固着されている。
【００５７】
モーター２０は、コイル２０ａ部分が支持枠３１を介してベースプレート２７に固着されていて、回転子２０ｂ部分はモーター２０のコイル部分２０ａがベースプレート２７に固着されている状態で回転自在となっている。コイル部分２０ａに所定の電流が流されることで、回転子２０ｂに接続されたシャフト２１が回転し、この回転をベースプレート２７の下方側に配置された回転板２２に伝えることができる。また、モーター２０の上部には、上方に延長されたシャフト２１に接続されたモーターファン２５が配置されている。モーターファン２５は、羽根の径がモーター２０コイル部分２０ａの径とほぼ同じ大きさとなっている。このため、モーター２０が動作してシャフト２１とともにモーターファン２５が回転すると、上方から下方側へ向けてモーター２０の側面を包み込むような風の流れが生じ、モーター２０の温度上昇を抑えることができる。
【００５８】
なお、本実施形態のフードプロセッサーにおけるベースプレート２７は、モーター２０の配置部分である一方の端部２７ａ側の形状が、ベースプレート２７上にモーター２０を配置した状態で平面視したときに、モーター２０の全体がベースプレート２７上に収まるように形成されている。このため、モーター２０の側面を包むように流れるモーターファン２５からの冷却風を、ベースプレート２７の上面で受け止めることができる。
【００５９】
図４において、図中左側に示された、ベースプレート２７の他端部２７ｂ側は、平面形状が略円形状となっていて、当該円形部分の中心位置に図４では図示を省略する駆動軸５が配置される。ベースプレート２７の下面側には、駆動軸５にその中心軸部分が固着されるプーリー２４が配置されていて、プーリー２４は、同じくベースプレート２７の下面側に配置されている回転板２２と連動ベルト２３で接続されている。モーター２０の回転をプーリーに伝える伝達部材である回転板２２と連動ベルト２３とによって、モーター２０のシャフト２１の回転がプーリー２４へと伝達され、プーリー２４の中心に固着された駆動軸５が所定の回転速度で回転する。駆動軸５の回転は、載置台１ｃ上に載置された調理容器２内部のカッター４を回転させる。
【００６０】
本実施形態のフードプロセッサーでは、前述のように、駆動軸５をその中心位置とするように環状の誘導加熱コイル２６が配置されていて、プーリー２４と誘導加熱コイル２６とは略同心円状に配置されている。
【００６１】
また、プーリー２４の下方には、一部がプーリー２４と重複する位置に、図４では図示しない本体吸気口から冷却風を吸い込む、冷却ファンである本体ファン３０が配置されている。前述のように、本体ファン３０は、動作時に高温となる誘導加熱コイル２６と発熱源となる回路基板２９上に配置された電気回路部品２８とに冷却風を送風するものであるため、本体ファン３０から吸い込まれた冷却風の少なくとも一部を、誘導加熱コイル２６へと供給する必要がある。このため、本実施形態のフードプロセッサーでは、本体ファン３０と誘導加熱コイル２６との間に配置された、プーリー２４とベースプレート２７とにそれぞれ貫通孔を設けて、本体ファン３０から誘導加熱コイル２６への冷却風を遮らないようにしている。
【００６２】
図５は、本実施形態にかかるフードプロセッサーに用いられているプーリーの形状を示す斜視図である。
【００６３】
本実施形態のフードプロセッサーで用いられるプーリー２４は、駆動軸５が固着される中心軸部分２４ａと、回転板２２の回転を伝達する連動ベルト２３が当接する外周部分２４ｂとが、互いに９０度の間隔を隔てて配置された４本の棒状（スポーク状）の接続部材２４ｃで接続された構成となっている。このようにすることで、隣り合う接続部材２４ｃ同士の間隔部分を、プーリー２４を上下方向に貫通するプーリーの貫通孔２４ｄとすることができ、本体ファン３０からの冷却風をプーリー２４の上方側であるベースプレート２７側と通過させることができる。
【００６４】
なお、図５に示すように、プーリー２４の中心軸部分２４ａと外周部分２４ｂとの間に貫通孔２４ｄを形成するために、中心軸部分２４ａと外周部分２４ｂとを棒状の接続部材２７ｃで接続する構成としたため、中心軸部分２４ａと外周部分２４ｂとを貫通孔のない板状部材で接続した場合と比較して、プーリー２４の剛性が低下する。プーリー２４は、連動ベルト２３によってモーター２０のシャフト２１側へと引き寄せられる応力が加わった状態で駆動軸５を回動させるため、剛性が低下するとプーリー２４の変形が生じるおそれがある。プーリー２４の変形は、回転機構によりモーター２０の回転を駆動軸５に正しく伝えるという観点から好ましくない。このため、図５に示すように、プーリー２４の中心軸部分２４ａは、駆動軸５を挿入する部分の周囲を駆動軸５の軸方向および駆動軸５の軸方向と垂直な方向の両方孔に対して厚肉状に形成している。また、接続部材２７ｃの表面も、プーリー２４の厚さ方法に伸延する補強リブを備えた構造として、貫通孔２４ｄを形成した状態でもプーリー２４が必要な剛性を確保できるようになっている。
【００６５】
さらに、貫通孔２４ｄの中心軸部分２４ａに隣接する部分には、板状の接続プレート２４ｅを残存させている。図４に示したように、ベースプレート２７の上面側であってプーリー２４の中心軸部分２４ａの近傍には、駆動軸５を貫通させた状態で回動可能に保持するとともにベースプレート２７を本体部１に固着する基底部が形成される。また、図４に示すように、環状の誘導加熱コイル２６も中心部分にはコイル部材が配置されない。このため、誘導加熱コイル２６の中心部分には冷却風を送風する必要が無く、プーリー２４においても、中心軸部分２４ａの周辺部分に貫通孔２４ｄを形成することよりも、この部分をプーリー２４の剛性確保に利用することの方が効率的であるからである。
【００６６】
図４に戻って、ベースプレート２７の他端部２７ｂ側の円形部分には、中心部の駆動軸５が貫通する部分の周囲に、プーリー２４の貫通孔２４ｄを通過した冷却風をベースプレート２７の上側に位置する誘導加熱コイル２６に到達し易くするための、ベースプレートの貫通孔２７ｃが複数個形成されている。
【００６７】
図４に示すように、本実施形態のフードプロセッサーでは、ベースプレート２７に設けられたベースプレート２７の貫通孔２７ｃとプーリー２４に形成されたプーリーの貫通孔２４ｄとを介して、本体ファン３０からの冷却風が、ベースプレート２７の上方に位置する誘導加熱コイル２６へと送風されるようになっている。このため、本体部１の底面部分に配置された本体ファン３０を用いて、本体下部１ａの上面として形成された載置台１ｃのすぐ裏側に配置された誘導加熱コイル２６を効果的に冷却することができる。
【００６８】
なお、本実施形態に記載されたフードプロセッサーでは、調理プログラムによって、誘導加熱コイル２６によって載置台１ｃ上に配置された調理容器２のワークボウル２ａを加熱すると同時にワークボウル２ａ内部のカッター４を回転させる場合と、ワークボウル２ａを加熱するがカッター４を回転させない場合との、２とおりの場合が考えられる。例えば、プーリー２４の中心軸部分２４ａと外周部分２４ｂとを接続する接続部材２４ｃの側面に、プーリー２４の周方向に傾斜する傾斜面を形成することにより、接続部材２４ｃをファンとして機能させて、プーリー２４が回転した場合、すなわち、カッター４を回転させる場合には、プーリー２４の配置部分の空気をベースプレート２７側へ送風もしくは拡散させることができる。
【００６９】
このように、プーリー２４の形状を工夫してプーリー２４に送風ファンとしての機能を兼ね備えさせることで、プーリー２４の上方に本体部１の内部空間を上下方向に分断するようにベースプレート２７が配置されていても、プーリー２４の下方に位置する本体ファン３０からの冷却風を、ベースプレート２７の上面側に位置する誘導加熱コイル２６に効果的に送風することができる。
【００７０】
この場合において、プーリー２４による空気の撹拌作用は、プーリー２４の直径が大きい程大きくなると想定される。このため、本体下部１ａ内部に収容可能であって、連動ベルト２３によって回転板２２の回転を正確に駆動軸５へと伝達できる範囲において、プーリー２４の直径をなるべく大きく形成することが、プーリー２４を介して本体ファン３０からの冷却風を誘導加熱コイル２６へと送風ことによる冷却効率を向上する上でより好ましい。この場合を含めて、プーリー２４の直径は、誘導加熱コイル２６の内径よりも大きいことが好ましい。また、プーリー２４の直径の上限は、誘導加熱コイル２６の外径よりもさらに大きい範囲までと規定することができる。
【００７１】
図６は、本実施形態にかかるフードプロセッサーの本体部内部における冷却風の流れを説明する概略断面図である。図６は、本体部の図３と同じ断面を示していて、図３で説明した部材と同じ部材には同じ符号を付している。ただし、本体部内部の冷却風の流れをわかりやすく説明するために、本体部内部の空気の流れを説明する上では不要な構成部分の図示と符号の付与とを適宜省略している。
【００７２】
図６に示すように、本実施形態のフードプロセッサーでは、モーター２０を冷却するモーターファン２５が回転することで、図中白矢印４１〜４７で示す冷却風の流れが生じる。
【００７３】
具体的には、モーターファン２５が回転することで、本体部１のモーターファン２５の配置位置近傍かモーターファン２５の配置位置よりも上方の側面側上部１ｂに形成されている、上部空気口７から本体部１内部に冷却風が吸い込まれる（矢印４１）。本体部１の内部に吸い込まれた冷却風は、モーター２０の側面を包むようなモーター２０の上方から下方へと向かう流れとなる（矢印４２、４３）。
【００７４】
上述したように、本実施形態のフードプロセッサーでは、モーター２０が固着されているベースプレート２７の一方の端部２７ａの平面形状などを工夫することで、モーター２０の側面に沿った冷却風の流れを受け止め、ベースプレート２７の上面を通風経路として冷却風を誘導加熱コイル２６側へと導く（矢印４４）。また、本体部１の側面側上部１ｂと載置台１ｃ形成部分との間の部分において、本体下部１ａの外殻部分とベースプレート２７の上面との間に図６中に領域Ａとして示す所定の空隙を設けることで、ベースプレート２７の上面を流れる空気の流れ（矢印４４）を阻害しないようにしている。
【００７５】
載置台１ｃの下部において、ベースプレート２７の上面と誘導加熱コイル２６との間の部分は、駆動軸５を支持する部分以外は基本的には空洞状態となっているため、ベースプレート２７の上面を通過した冷却風は上方側へ広がって、誘導加熱コイル２６に対する冷却風となる（矢印４５、４６）。
【００７６】
モーター２０の側面に沿って下降した冷却風（矢印４２、４３）の内、ベースプレート２７で受け止めきれずにベースプレート２７の下面側に回り込んだ冷却風（矢印４７）は、本体下部１ａの底面に配置された第１の排気口３３から外部へと放出される。
【００７７】
なお、駆動軸５を回動させるモーター２０の温度上昇が１００℃程度までであるのに対し、誘導加熱コイル２６の温度は１３０℃〜上限の目安としての１７０℃程度にまで上昇する。このため、モーター２０の側面を通過してモーターへ２０を冷却することで温度が上昇した冷却風（矢印４４）であっても、より高温となる誘導加熱コイル２６を冷却する冷却風として十分に機能することができる。
【００７８】
本体下部１ａの底面近傍に配置された本体ファン３０によって底面吸気口３１から吸気された空気の流れは、図中黒矢印（５１〜５６）として示した、底面吸気口３１から吸い込まれた後、仕切り板３２の操作部８側を通る流れる第１の流れと、図中ハッチングを加えた矢印（６１〜６３）で示した、仕切り板３２から回路基板２９側へと流れる第２の流れの２とおりとなる。
【００７９】
本体ファン３０による第１の空気の流れは、本体ファン３０によって底面吸気口３１から吸い込まれた後、仕切り板３２の操作部８側を通って、ベースプレート２７の下側面へと向かう（矢印５１）。ベースプレート２７の下側には、駆動軸５を回動させる回転機構としてのプーリー２４が配置されている。上記説明したように、プーリー２４を、駆動軸５と固着される中心軸部分２４ａと連動ベルト２３が巻回される外周部分２４ｂとの間にプーリー２４を貫通する貫通孔２４ｄが備えられた形状とすることや、プーリー２４が回転している状態でプーリー２４周囲の空気に生じる渦状の気流を利用すること、さらには上述したようにプーリー２４が積極的に送風することができる形状とすることなどにより、プーリー２４部分に到達した本体ファン３０からの冷却風は、ベースプレート２７側へ入り込む。さらに、冷却風は、図４で説明したベースプレート２７に形成された貫通孔２７ｃを通過して、誘導加熱コイル２６とベースプレート２７上面との間に形成された空洞部分へと流れ込み（矢印５２、５３）、誘導加熱コイル２６を冷却する。誘導加熱コイル２６を冷却した後は、ベースプレート２７の外周部分と本体下部１ａの外殻内面との間の空隙部分などを通過してベースプレート２７の下側に回り込み（矢印５４、５５）、ベースプレート２７の下側部分を通って本体部１底面の第１の排気口３３へと到達し（矢印５６）、第１の排気口３３から外部へと放出される。このように、本体ファン３０による第１の空気の流れは、主として誘導加熱コイル２６を冷却するための冷却風となる。
【００８０】
本体ファン３０による第２の空気の流れは、本体ファン３０から仕切り板３２の回路基板２９側へと向かう（矢印６１）。この空気の流れは、電源トランスや制御用マイコンチップ、各種抵抗器やコンデンサなどの電気回路部品２８を冷却する冷却風（矢印６２）となる。なお、回路基板２９を、有底枠状の樹脂ケース内に配置するなどして、本体ファン３０からの冷却風の第２の空気の流れを用いて回路基板２９上の電気回路部品２８を効率よく冷却することができる。
【００８１】
回路基板２９の配置部分を通過した冷却風は、隔壁３５にガイドされて、本体部１の底面に形成された、第２の排気口３４から本体部１の外部へと放出される（矢印６３）。
【００８２】
このように構成することで、本実施形態にかかるフードプロセッサーでは、誘導加熱コイルを冷却する連客ファンである本体ファン３０を用いて、誘導加熱コイル２６と回路基板２９上の電気回路部品２８という、２種類の発熱部材を効果的に冷却することができる。
【００８３】
以上のように、本実施形態のフードプロセッサーでは、本体下部１ａの内部において、本体下部１ａ内部の空間をその上側部分と下側部分との２つの部分に大きく分断するベースプレート２７が配置されている。このため、本実施形態のフードプロセッサーの本体部１の内部では、ベースプレート２７によって、ベースプレート２７の上側のモーター２０配置部分から誘導加熱コイル２６の配置部分へと向かう空気の流れと、ベースプレート２７の下側の、プーリー２４が配置されている部分からモーター２０が配置されている部分の下方へと向かう空気の流れとが形成される。このように、ベースプレート２７を配置することによって、本体部１内部の空気の大きな流れを制御することによって、モーター２０、誘導加熱コイル２６、電子回路部品２８といった発熱部材に対して効率よく冷却風を当てることができ、本体部１内部の温度上昇を効果的に抑えることができる。
【００８４】
本実施形態のフードプロセッサーは、上記のようにモーターファン２５による冷却風を、ベースプレート２７の上面を通風経路として誘導加熱コイル２６が配置されている載置台１ｃの下部へと伝えるものであるが、ベースプレート２７の端部を延長して、本体下部１ａを構成する外殻部材の内側面に完全に当接するようにし、本体下部１ａの内部空間をベースプレート２７の上面側と下面側との２つの領域に完全に分断してしまうのは好ましくない。例えば、モーター２０の配置部分においても、図６において矢印４７として示したモーター２０を冷却した後にベースプレート２７の脇を経由してベースプレート２７の下側に回り込み、第１の排気口３３から外部へと流れ出る空気の流れがあることで、上部吸気口７から本体部１の内部を通り排気口３３から外部へと排出される空気の流れが確立される。この結果、ベースプレート２７の上面を通風経路として誘導加熱コイル２６側へと供給される冷却風を含めた、モーターファン２５によって生じる、上部空気孔７から第１の開口部３３へ繋がる本体部１内部の冷却風の流れを安定させることができる。
【００８５】
また、ベースプレート２７の外周部分と本体下部１ａの外殻内面との間の空隙部分が形成されていることで、ベースプレート２７と誘導加熱コイル２６との間の空間から冷却風を第１の排気口へと導くことができると共に、本体ファン３０から回路基板２９の配置部分へと向かった空気の流れのうち回路基板２９配置部分の外側へと広がったものを、誘導加熱コイル２６を冷却した後の冷却風と重ねて第１の排気口３３から外部へと放出することができる。
【００８６】
以上説明したように、本実施形態のフードプロセッサーでは、調理容器２が載置される載置台１ｃの裏面に配置された誘導加熱コイル２６の下方に、調理容器２内部のカッター４を回転させる駆動軸５に、モーター２０の回転を伝達するプーリー２４が配置されている。このため、誘導加熱コイル２６を調理容器２の底面に近づけて配置することができ、効率よく調理容器を加熱することができる。
【００８７】
また、プーリー２４の下側に、動作時に高温となる誘導加熱コイル２６を冷却する冷却風を形成する本体ファン３０を配置し、プーリー２４を介して本体ファン３０からの冷却風を誘導加熱コイル２６へと送風する構成としたため、本体部１内部における、誘導加熱コイル２６、プーリー２４、本体ファン３０のコンパクトな配置構成実現すると共に、誘導加熱コイル２６を効率よく冷却することができる。
【００８８】
以上のように本実施形態のフードプロセッサーでは、本体部内部の空気の流れを制御して、加熱手段として用いられる誘導加熱コイルの温度を効率良く所定の範囲内に維持することができる。この結果、熱量が限られ、しかも、通電終了後にも一定の時間は熱を放出する電熱ヒーターと比較して、熱量が大きく、しかもオン／オフの制御を正確に行うことができる誘導加熱コイルを加熱手段として用いても、コイルが高温となることにより生じる絶縁破壊や、誘導加熱コイル配置部分の樹脂の熱変形などを回避できる、加熱機能を備えたフードプロセッサープロセッサーを実現することができる。また、加熱コイルが露出しないため、ユーザが高温のヒーターに誤って触れてしまうという危険も回避できる。
【００８９】
なお、上記の実施形態において、図４、図５を用いて具体的に説明した誘導加熱コイルと、プーリーと、冷却ファンの配置構成はあくまでも例示に過ぎない。特に、冷却ファンは、図４で図示説明したような、プーリーと平行に、かつ、その一部分のみがプーリーと重なるように配置するものに限られず、冷却ファンをその冷却風がプーリーの側方部分からプーリーに送風される配置関係とすることもできる。また、本体部内部における冷却風の流れを規制する仕切り板や隔壁などの各種部材についても、上記説明したものは単なる例示にすぎず、本体部の形状や本体部内部における各発熱部材の配置位置に対応して、本体部内部全体を効率よく冷却できる空気の流れが実現できる構成を適宜設計すべきものである。
【００９０】
また、上記実施形態では、誘導加熱コイルとして環状のもの一つを駆動軸と略同心状に配置した例についてして説明したが、誘導加熱コイルの形状は環状に限られず、略矩形状や多角形状のものを使用することができる。また、複数個の環状または矩形状の誘導加熱コイルを駆動軸の周囲に環状に配置することも可能である。なお、この場合には、複数の誘導加熱コイル全体が、駆動軸を中心軸となるように配置することが好ましい。さらに、本体部として、載置台部分の周囲を覆う略円筒状の壁を備えた構成として、この壁の中に誘導加熱コイルを配置して、調理容器であるワークボウルの底面に近い側面部分を誘導加熱することができるようにしてもよい。
【００９１】
さらにまた、上記実施形態では、冷却ファンである本体ファンの他に、モーターのシャフトに取り付けられたモーターファンを備えて、モーターファンからの冷却風によって誘導加熱コイルを冷却する構成を例示した。しかし、本開示のフードプロセッサーにおいて、モーターファンを備えることは必須の構成ではない。したがって、モーターの発熱量が少なく本体ファンのみによって誘導加熱コイルを含めた本体部内部の発熱部材を効果的に冷却することができるのであれば、モーターファンを備えない構成を採用することができる。さらに、モーターファンは備えるがモーターファンによって誘導加熱コイルを冷却しない構成を採用することもできる。さらに、上記実施形態において、底面吸気口、第１の排気口、第２の排気口をいずれも本体部の底面に形成した例を示したが、本体ファンを配置した場合の吸気口や、本体部内部からの冷却風の出口である排気口のそれぞれ少なくとも一部を、本体部の底部以外の側面に形成することも可能である。また、排気口の数も２つに限られず、１つまたは３つ以上設けることができる。また、モーターファンを備えない構成の場合には、モーターファンの吸気口である上部吸気口を形成しない構成とすることができる。
【００９２】
また、上記実施形態では、モーターの回転を駆動軸へと伝達する回転機構を支えるベースプレートを備えた構成としたが、ベースプレートは必須の部材ではなく、例えば、モーターと駆動軸とをそれぞれ別々の部材を用いて、本体部内部で支持する構成とすることができる。さらに、駆動軸に固着されたプーリーに、モーターの回転を伝達する伝達部材として、シャフトに固着された回転板とプーリーとを連動させる連動ベルトとを用いる構成としたが、例えば、回転板を設けずに連動ベルトをモーターのシャフトに直接巻き付けて、ブリーを回転させる構成とすることができる。
【００９３】
以上、上記実施の形態では、電動調理器の例としてカッターが交換可能なフードプロセッサーを例示して説明したが、本発明は、他の電動調理器、例えば、いわゆるジューサーと称されるカッターが交換可能でない電動調理器に適用することができる。さらに、いわゆるミルや脱穀器など、調理容器と調理容器内で回転して各種調理を行うカッターを備え、被調理物を加熱する調理プログラムが想定可能な各種電動調理器に適用することができる。
【産業上の利用可能性】
【００９４】
本開示にかかる電動調理器は、カッターによる裁断・撹拌調理機能と被調理物の加熱機能を備えた電動調理器として有用である。
【符号の説明】
【００９５】
１    本体部
１ｃ  載置台
２    調理容器
４    カッター
５    駆動軸
１２    軸通筒
２０    モーター
２２    回転板（伝達部材）
２３    連動ベルト（伝達部材）
２４    プーリー
２６    誘導加熱コイル
３０    本体ファン（冷却ファン）
【図１】
2015205135.tif 000003
【図２】
2015205135.tif 000004
【図３】
2015205135.tif 000005
【図４】
2015205135.tif 000006
【図５】
2015205135.tif 000007
【図６】
2015205135.tif 000008